(57)【要約】【課題】画面上の映像の劣化及びリアルタイム性能の低下が生じにくい映像信号伝送システムを提供する。【解決手段】映像信号伝送システムにおける映像信号処理装置（２）は、通信経路（１２５ａ〜１２５ｄ）毎に設けられ、各通信経路で送信される映像信号を圧縮する複数の圧縮回路（２３ａ〜２３ｄ）と、各圧縮回路で圧縮された映像信号を、各圧縮回路に対応する通信経路を介して出力する送信回路（２４）と、入力した各映像信号のデータ量に基づいて、映像信号（１１１ａ〜１１１ｄ）毎に、各映像信号の一部または全部を送信する通信経路を決定するとともに、全圧縮回路に共通の圧縮率を設定する経路／圧縮率設定回路（２２）と、を備える。経路／圧縮率設定回路（２２）は、データ量が比較的高い映像信号を分割して、分割した一部をデータ量が比較的低い映像信号を伝送する通信経路に振り分ける。【選択図】図２
2019016981.tif 000002
【特許請求の範囲】
【請求項１】
複数のソース装置から映像信号を入力し、複数の通信経路を介して出力する映像信号処理装置であって、
通信経路毎に設けられ、各通信経路で送信される映像信号を圧縮する複数の圧縮回路と、
各圧縮回路で圧縮された映像信号を、各圧縮回路に対応する通信経路を介して出力する送信回路と、
入力した各映像信号のデータ量に基づいて、映像信号毎に、各映像信号の一部または全部を送信する通信経路を決定するとともに、全圧縮回路に共通の圧縮率を設定する経路／圧縮率設定回路と、を備え、
前記経路／圧縮率設定回路は、データ量が比較的高い映像信号を分割して、分割した一部をデータ量が比較的低い映像信号を伝送する通信経路に振り分ける、
映像信号処理装置。
【請求項２】
前記経路／圧縮率設定回路は、
入力した映像信号の中で最もデータ量の大きい映像信号の一部を一の通信経路に振り分け、
前記最もデータ量の大きい映像信号において前記一部を除く残りの部分を、さらに一つまたは複数の部分に分割して、一つまたは複数の他の通信経路に振り分ける、
請求項１記載の映像信号処理装置。
【請求項３】
前記経路／圧縮率設定回路は、前記一の通信経路と前記他の通信経路のそれぞれにおいて送信されるデータ量が略等しくなるように、前記最もデータ量の大きい映像信号を分割する、請求項２記載の映像信号処理装置。
【請求項４】
前記経路／圧縮率設定回路は、分割して送信される映像信号がある場合、前記共通の圧縮率を、映像信号を分割しないときに想定される圧縮率よりも低い圧縮率に設定する、請求項２記載の映像信号処理装置。
【請求項５】
請求項１ないし４のいずれかに記載の映像信号処理装置と、
ネットワークを介して前記映像信号処理装置から映像信号を受信し、受信した映像信号に基づき合成映像を生成し、合成映像を示す映像信号をディスプレイ装置に送信する受信装置と、を備え、
前記受信装置は、
前記送信回路から映像信号を受信する受信回路と、
受信した各映像信号を伸長する伸長回路と、
前記伸長された各映像信号が示す画像を合成する映像合成回路と、を備え、
前記映像合成回路は、分割して送信された映像信号がある場合、当該映像信号を分割される前の状態に戻し、戻した後の映像信号に基づき映像合成を行う、
映像信号伝送システム。
【請求項６】
前記送信回路は、圧縮された映像信号に加えて、圧縮された映像信号を伸長するための伸長条件を示す情報と、送信経路の振り分けを示す振り分け情報と、映像信号の合成条件を示す情報とを、前記受信回路に送信し、
前記映像合成回路は、分割して送信された映像信号がある場合に前記振り分け条件に基づいて当該映像信号を分割される前の状態に戻し、前記合成条件に基づき映像合成を行う、
請求項５記載の映像信号伝送システム。
【請求項７】
合成映像における各映像信号が示す映像の位置及び重なりを指定する制御信号を前記映像信号処理装置に供給する制御装置をさらに備えた請求項５記載の映像信号伝送システム。
【請求項８】
前記受信装置は、前記経路／圧縮率設定回路が設定する経路と圧縮率を示す情報を格納する記憶装置を備える、請求項５記載の映像信号伝送システム。
【請求項９】
前記映像信号は、動画データを含む映像信号及び／又は静止画データを含む映像信号である、請求項５ないし８のいずれかに記載の映像信号伝送システム。
【発明の詳細な説明】
【技術分野】
【０００１】
本開示は、複数のソース装置から受信した複数の映像信号がネットワークを介して送信する映像信号処理装置に関する。本開示は、そのような映像信号処理装置を送信装置として備え、さらに、送信装置から受信した映像信号をディスプレイ装置に伝える受信装置を備えた映像信号伝送システムに関する。
【背景技術】
【０００２】
複数のソース装置から受信された複数の映像信号を合成し、複数の映像信号に対応する複数のウィンドウを１つのディスプレイ装置の画面に表示する映像表示システムがある。
【０００３】
このような映像表示システムにおいて、ソース装置とディスプレイ装置とが限られた帯域のネットワークを介して互いに遠隔して設けられ、このネットワークを介して映像信号を伝送する場合には、映像信号を圧縮する必要がある。映像信号の圧縮方法の例として、特許文献１及び２に開示されたものがある。
【０００４】
特許文献１は、デジタル映像を表示するウィンドウを重ねることで、同一表示画面上に複数のデジタル映像を表示可能な映像表示装置を開示している。この映像表示装置は、可視領域情報を含むウィンドウをウィンドウ管理テーブルで管理し、映像伸長処理前に可視領域の圧縮映像データのみを切り出して映像伸長を行い、これにより、映像伸長処理の負荷を軽減する。
【０００５】
特許文献２は、入力される画像信号を画面上で重要な部分とそれ以外の部分に分割するための分割情報を入力し、重要な部分はデータ圧縮しないかデータ圧縮しても歪みの小さい方法で符号化し、それ以外の部分は圧縮率の高い方法で符号化することを開示している。これにより、画像全体として画質が良く、データ圧縮率の高いデータ圧縮方式を実現する。
【先行技術文献】
【特許文献】
【０００６】
【特許文献１】国際公開第２００６／０７２９８５号
【特許文献２】特開昭６２−００８６５８号公報
【発明の概要】
【発明が解決しようとする課題】
【０００７】
ソース装置とディスプレイ装置とがネットワークを介して互いに遠隔して設けられた映像表示システムにおいて、映像信号を圧縮して伝送する場合には、以下のような問題点があった。
【０００８】
データ量の異なる複数の映像信号を限られた帯域のネットワークを介して通すとき、データ量が最も多い映像信号を基準に圧縮率を同一にして複数の映像信号を圧縮すると、データ量の少ない映像信号の画質が更に劣化するという課題がある。
また、データ量の異なる複数の映像信号を限られた帯域のネットワークを介して通すとき、各ソース装置から受信する映像信号のデータ量に応じて圧縮率を変えて圧縮すると、複数の映像を重ねて表示したとき、複数の映像が重なる境界で画質の差が生じるという課題がある。
【０００９】
本開示は、データ量の異なる複数の映像信号を限られた帯域のネットワークを介して送信する映像信号処理装置であって、画面上の映像の劣化及びリアルタイム性能の低下が生じにくい映像信号処理装置を提供する。本開示はまた、そのような映像信号処理装置を送信装置として備え、さらに、ディスプレイ装置に接続された受信装置を備え、送信装置から受信装置に映像信号を伝送する送信システムを提供する。
【課題を解決するための手段】
【００１０】
本開示の第１の態様において、複数のソース装置から映像信号を入力し、複数の通信経路を介して出力する映像信号処理装置が提供される。映像信号処理装置は、通信経路毎に設けられ、各通信経路で送信される映像信号を圧縮する複数の圧縮回路と、各圧縮回路で圧縮された映像信号を、各圧縮回路に対応する通信経路を介して出力する送信回路と、入力した各映像信号のデータ量に基づいて、映像信号毎に、各映像信号の一部または全部を送信する通信経路を決定するとともに、全圧縮回路に共通の圧縮率を設定する経路／圧縮率設定回路と、を備える。経路／圧縮率設定回路は、データ量が比較的高い映像信号を分割して、分割した一部をデータ量が比較的低い映像信号を伝送する通信経路に振り分ける。
【００１１】
本開示の第２の態様において、映像信号伝送システムが提供される。映像信号伝送システムは、上記の映像信号処理装置と、ネットワークを介して前記映像信号処理装置から映像信号を受信し、受信した映像信号に基づき合成映像を生成し、合成映像を示す映像信号をディスプレイ装置に送信する受信装置と、を備える。受信装置は、送信回路から映像信号を受信する受信回路と、受信した各映像信号を伸長する伸長回路と、伸長された各映像信号が示す画像を合成する映像合成回路と、を備える。映像合成回路は、分割して送信された映像信号がある場合、当該映像信号を分割される前の状態に戻し、戻した後の映像信号に基づき映像合成を行う。
【発明の効果】
【００１２】
本開示によれば、画面上の映像の劣化及びリアルタイム性能の低下が生じにくい映像信号伝送システムを提供することができる。
【図面の簡単な説明】
【００１３】
【図１】本開示の実施形態に係る映像信号伝送システムの全体構成を示す図
【図２】映像信号伝送システムにおける映像信号処理装置の具体的な構成を示す図
【図３】映像信号伝送システムにおける受信装置の具体的な構成を示す図
【図４】映像信号伝送システムから伝送された映像信号に基づきディスプレイ装置に表示される映像の表示例を示す図
【図５】ディスプレイ装置に表示される複数ウィンドウの画面配置の例を示す図
【図６】（Ａ）入力した各映像信号のデータ量を模式的に示した図、（Ｂ）第１ないし第４通信経路において送信される各映像データの使用率を模式的に示した図
【図７】単純に各映像信号の圧縮率を同一にした場合の課題を説明するための図（（Ａ）入力した各映像信号のデータ量を模式的に示した図、（Ｂ）画面占有率に偏りがある場合の画面の例を示した図、（Ｃ）第１ないし第４通信経路において送信される各映像データの使用率を模式的に示した図）
【図８】単純に各映像信号の圧縮率を異ならせた場合の課題を説明するための図
【図９】画面占有率が高い映像信号を２つの経路に割り振った場合における各通信経路における映像データの使用率を説明するための図（（Ａ）入力した各映像信号のデータ量を模式的に示した図、（Ｂ）画面占有率に偏りがある場合の画面の例を示した図、（Ｃ）第１ないし第４通信経路において送信される各映像データの使用率を模式的に示した図）
【図１０】各通信経路におけるデータの使用率が均一になるように映像信号を複数の経路に割り振った場合における、各通信経路における映像データの使用率を説明するための図
【図１１】ウィンドウサイズが変更された場合の各通信経路における映像データの使用率を説明するための図
【発明を実施するための形態】
【００１４】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、発明者（ら）は、当業者が本開示を十分に理解するために添付図面および以下の説明を提供するのであって、これらによって特許請求の範囲に記載の主題を限定することを意図するものではない。
【００１５】
（実施の形態１）
［１．構成］
本開示の映像信号伝送システムは、複数のソース装置から入力した映像信号を合成してディスプレイ装置に伝送するシステムである。図１〜３は、本開示の実施の形態１に係る映像信号伝送システムの構成を示すブロック図である。
【００１６】
図１は、映像信号伝送システムの全体構成を示すブロック図である。図１に示すように、映像信号伝送システム１００は、複数のソース装置１ａ〜１ｄから映像信号を受信し、圧縮して出力する映像信号処理装置２（送信装置）と、ネットワーク３を介して映像信号処理装置２からの映像信号を受信し、伸長し、合成してディスプレイ装置５に出力する受信装置４と、映像信号処理装置２に制御信号１０１を出力する制御装置１０と、を備える。
【００１７】
図２は、映像信号処理装置２の詳細な構成を示す図である。映像信号処理装置２は、ネットワーク３を介して受信装置４に対して映像信号を送信する送信装置として機能する。図２に示すように、映像信号処理装置２は、第１ないし第４入力回路２１ａ〜２１ｄ、経路／圧縮率設定回路２２、第１ないし第４圧縮回路２３ａ〜２３ｄ及び送信回路２４を備える。
【００１８】
経路／圧縮率設定回路２２と、第１ないし第４圧縮回路２３ａ〜２３ｄのそれぞれとは第１ないし第４送信経路１２３ａ〜１２３ｄにより接続されている。また、圧縮回路２３ａ〜２３ｄで圧縮された映像信号を伝送する経路として、第１ないし第４通信経路１２５ａ〜１２５ｄが設定されている。送信回路２４は、第１ないし第４圧縮回路２３ａ〜２３ｄのそれぞれから出力される映像信号を第１ないし第４通信経路１２５ａ〜１２５ｄを介してネットワーク３へ送信する。換言すれば、第１ないし第４圧縮回路２３ａ〜２３ｄは、第１ないし第４通信経路１２５ａ〜１２５ｄにて伝送される映像信号を圧縮する回路である。
【００１９】
図３は、受信装置４の詳細な構成を示す図である。図３に示すように、受信装置４は、受信回路４１、伸長回路４２ａ〜４２ｄ、映像合成回路４３、及び記憶装置４４を備える。
【００２０】
ソース装置１ａ〜１ｄは、映像信号を出力する装置であり、例えば、Ｂｌｕ−ｒａｙ（登録商標）ディスクプレーヤ、ハードディスクレコーダ、チューナ、パーソナルコンピュータ、カメラなどである。ソース装置１ａ〜１ｄは、映像信号１１１ａ〜１１１ｄを映像信号処理装置２にそれぞれ出力する。映像信号１１１ａ〜１１１ｄは種々のフォーマット（例えば、ＸＧＡ、ＨＤ、４Ｋ）で出力される。映像信号１１１ａ〜１１１ｄは、動画データ又は静止画データを含む。複数のソース装置１ａ〜１ｄから同時に送信される映像信号は、動画を示す映像信号のみを含んでもよいし、静止画を示す映像信号のみを含んでもよいし、動画を示す映像信号と静止画を示す映像信号の組合せでもよい。
【００２１】
ディスプレイ装置５は、液晶ディスプレイや有機ＥＬディスプレイで構成される。ディスプレイ装置５は、単一のディスプレイ装置であってもよく、複数のディスプレイ装置の組み合わせであってもよい。複数のディスプレイ装置を組み合わせることにより、より大きな画面を構成することができる。
【００２２】
制御装置１０は、複数のウィンドウがディスプレイ装置５の画面に表示されたときの複数のウィンドウの位置及び重なり等を指定する合成条件をユーザが入力するための入力装置と、入力された合成条件を表示する表示装置とを備える。制御装置１０は、例えば、パーソナルコンピュータ、タブレット型コンピュータ又は携帯情報端末で構成できる。ユーザは、制御装置１０の入力装置を介して、ディスプレイ装置５に表示させる各ウィンドウの拡大、縮小、位置及びウィンドウ間の重なり等を指定する合成条件を設定することができる。制御装置１０はユーザにより設定された合成条件を示す制御信号１０１を出力する。制御装置１０は、例えば、以下の合成条件を含む制御信号１０１を映像信号処理装置２に供給する。
１）入力映像の画素数
２）映像の拡大率、縮小率、合成方法
【００２３】
［２．動作］
以上のように構成される映像信号伝送システム１００の動作を以下に説明する。
【００２４】
［２−１．全体動作］
映像信号伝送システム１００は、ソース装置１ａ〜１ｄからそれぞれ映像データを入力し、入力した複数の映像データを合成してディスプレイ装置５に送信する。具体的には、映像信号伝送システム１００において、映像信号処理装置２は、映像データを、第１ないし第４入力回路２１ａ〜２１ｄによりソース装置１ａ〜１ｄから入力し、圧縮回路２３ａ〜２３ｄでそれぞれ圧縮する。それぞれの圧縮回路２３ａ〜２３ｄで圧縮された映像データは送信回路２４によりネットワーク３を介して受信装置４に送信される。受信装置４は、受信回路４１によりネットワーク３を介して受信した複数の映像データを伸長回路４２ａ〜４２ｄによりそれぞれ伸長し、映像合成回路４３で合成してディスプレイ装置５に表示させる。
【００２５】
図４は、映像信号伝送システム１００から伝送されてディスプレイ装置５に表示される映像（ウィンドウ）の表示例を示した図である。映像信号伝送システム１００は、４つのソース装置１ａ〜１ｄのそれぞれから入力された映像信号に対応するウィンドウＡ〜Ｂを図４（Ａ）または（Ｂ）に示すように合成してディスプレイ装置５に表示させる。
【００２６】
図１〜３に戻り、映像信号処理装置２において、第１ないし第４入力回路２１ａ〜２１ｄはそれぞれ、ソース装置１ａ〜１ｄから映像信号１１１ａ〜１１１ｄを入力し、ディスプレイ装置５に表示されるウィンドウに該当する映像信号１１２ａ〜１１２ｄとして経路／圧縮率設定回路２２に出力する。ここで、第１ないし第４入力回路２１ａ〜２１ｄのそれぞれに入力した映像信号は、基本的に、第１ないし第４送信経路１１３ａ〜１１３ｄを介して第１ないし第４圧縮回路２３ａ〜２３ｄのそれぞれに入力される。第１ないし第４圧縮回路２３ａ〜２３ｄで圧縮された映像信号はそれぞれ第１ないし第４通信経路１２５ａ〜１２５ｄを介して受信装置４に送信される。
【００２７】
映像信号１１２ａ〜１１２ｄは、ディスプレイ装置５で表示されるウィンドウを構成する。各ウィンドウが示す映像は、映像信号１１２ａ〜１１２ｄに対して、制御装置１０からの制御信号１０１にしたがい拡大、縮小、重ね合わせ等の処理がなされて生成される映像である。以下の説明では、映像信号１１２ａ〜１１２ｄに対応する各ウィンドウがディスプレイ装置５の表示領域全体中で占める表示面積の比率を「画面占有率」とする。
【００２８】
入力した各映像信号は１つの送信経路１２３ａ〜１２３ｄを介して対応する圧縮回路２３ａ〜２３ｄへ送信される。例えば、第１ソース装置１ａから入力した映像信号は第１送信経路１２３ａを介して第１圧縮回路２３ａへ送信される。同様に、第２ないし第４ソース装置１ｂ〜１ｄから入力した映像信号は、第２ないし第４送信経路１２３ｂ〜１２３ｄをそれぞれ介して、第１ないし第４圧縮回路２３ｂ〜２３ｄへそれぞれ送信される。第１ないし第４圧縮回路２３ｂ〜２３ｄで圧縮された映像信号は第１ないし第４通信経路１２５ａ〜１２５ｄを介して受信装置４へ伝送される。
【００２９】
本実施の形態では、各通信経路１２５ａ〜１２５ｄでのデータ量の偏りがある場合、その偏りがより低減されるように、データ量の大きい映像信号（映像データ）を分割し、分割した映像信号に対して、それらを伝送する通信経路１２５ａ〜１２５ｄ（すなわち、送信経路１２３ａ〜１２３ｄ）を設定する。このため、経路／圧縮率設定回路２２は、各映像信号に対応するウィンドウに対する画面専有率を求め、画面専有率に偏りがある場合は、画面占有率の大きい映像信号（映像データ）を分割して複数の通信経路（すなわち、送信経路）に振り分けて送信する。さらに、経路／圧縮率設定回路２２は、振り分け後の映像信号の状態に基づき映像信号に対する圧縮率を設定する。
【００３０】
具体的には、経路／圧縮率設定回路２２は、画面占有率が比較的大きい映像信号と、画面占有率が比較的小さい映像信号とを検出する。例えば、経路／圧縮率設定回路２２は、画面占有率が比較的大きい映像信号として、入力した映像信号の中で画面占有率が最も大きい映像信号を検出する。また、経路／圧縮率設定回路２２は、画面占有率が比較的小さい映像信号として、入力した映像信号の中で画面占有率が最も小さい映像信号を検出する。そして、経路／圧縮率設定回路２２は、画面占有率が比較的大きい映像信号の映像データの一部のブロックを、その映像信号の本来の通信経路（送信経路）へ出力する。さらに、画面占有率が比較的大きい映像信号が示す映像データから一部のブロックを取り除いた残りのブロックを、画面占有率が比較的小さい映像信号に対する通信経路（送信経路）へ振り分ける。これにより、画面占有率が比較的大きい映像信号に対する通信経路（送信経路）に対しては、一部のブロックのデータのみが出力される。また、画面占有率が比較的小さい映像信号に対する通信経路（送信経路）に対しては、画面占有率が比較的小さい映像信号のデータと、画面占有率が比較的大きい映像信号の残りのブロックのデータとが出力される。このように、経路／圧縮率設定回路２２は、画面占有率が高い映像信号については、複数の通信経路に振り分けて伝送する。
【００３１】
例えば、入力した４つの映像信号１１２ａ〜１１２ｄにおいて、画面占有率が最大の映像信号が映像信号１１２ａであり、画面占有率が最小の映像信号が映像信号１１２ｄである場合を考える。この場合、経路／圧縮率設定回路２２は、映像信号１１２ａ中の一部のブロックに関する映像信号を、第１通信路１２５ａ（すなわち、第１送信経路１２３ａ）に振り分ける。同時に、経路／圧縮率設定回路２２は、映像信号１１２ａ中の残りのブロックに関する映像信号を第４通信経路１２５ｄ（第４送信経路１２３ｄ）に振り分ける。これにより、第４通信経路１２５ｄ（第４送信経路１２３ｄ）には、映像信号１１２ｄと、映像信号１１２ａ中の残りのブロックに関する映像信号とが出力される。
【００３２】
経路／圧縮率設定回路２２は、通信経路１２５ａ〜１２５ｄ（または送信経路１２３ａ〜１２３ｄ）の振り分け状態を示す振り分け情報を、制御信号１０１が示す情報と合わせて制御信号１０２として送信回路２４に送信する。さらに、経路／圧縮率設定回路２２は、振り分け後の映像信号１１３ａ〜１１３ｄに応じて設定された圧縮率を示す圧縮信号１２１を出力する。
【００３３】
第１ないし第４圧縮回路２３ａ〜２３ｄはそれぞれ、基本的に第１ないし第４ソース装置１ａ〜１ｄからの映像信号１１３ａ〜１１３ｄを圧縮するために設けられた回路である。第１ないし第４圧縮回路２３ａ〜２３ｄは、圧縮信号１２１にしたがい、映像信号１１３ａ〜１１３ｄを圧縮し、圧縮後の映像信号１１４ａ〜１１４ｄを生成し、送信回路２４に送信する。
【００３４】
送信回路２４は、圧縮後の映像信号１１４ａ〜１１４ｄと、圧縮信号１２１と、制御信号１０２とを統合し、通信データ１１５として、ネットワーク３を介して、受信装置４に送信する。ネットワーク３は、例えば、ＬＡＮ、ＷＡＮなどである。
【００３５】
送信回路２４は、圧縮後の映像信号１１４ａ〜１１４ｄを同期して送信するために、映像信号を一時的に格納するバッファ回路２５を内部に備えている。
【００３６】
受信回路４１はネットワーク３を介して通信データ１１５を受信する。受信回路４１は、受信した通信データ１１５から、映像信号１１６ａ〜１１６ｄと、伸長するための条件を示す伸長信号１２２と、映像信号の合成条件等を示す制御信号１０３とを分離し、第１ないし第４伸長回路４２ａ〜４２ｄと映像合成回路４３とに出力する。伸長信号１２２は、経路／圧縮率設定回路２２で設定された圧縮率を示す情報を含む圧縮信号１２１である。制御信号１０３は、映像データを複数の経路に振り分けて送信したときのブロックを振り分け前の状態に戻すための情報（振り分け条件）と、ウィンドウの位置、重ね合わせ等の合成条件を示す情報とを含む。
【００３７】
第１ないし第４伸長回路４２ａ〜４２ｄはそれぞれ、第１ないし第４圧縮回路２３ａ〜２３ｄで圧縮された映像信号を伸長する回路である。第１ないし第４伸長回路４２ａ〜４２ｄは映像信号１１６ａ〜１１６ｄを伸長信号１２２が示す圧縮率に基づき伸長し、伸長後の映像信号１１７ａ〜１１７ｄを生成し、映像合成回路４３に送る。
【００３８】
映像合成回路４３は、制御信号１０３が示す振り分け条件にしたがい、伸長後の映像信号１１７ａ〜１１７ｄを、経路／圧縮率設定回路２２が経路変更する前の映像信号の状態に戻す。さらに、映像合成回路４３は、制御信号１０３が示す合成条件にしたがい各映像信号が示す映像を合成し、合成された映像を表示するための映像信号１１８を生成し、ディスプレイ装置５に送る。
【００３９】
記憶装置４４は、受信回路４１で受信した制御信号１０３を格納する。経路／圧縮率設定回路２２により設定される振分け条件が更新されるまで、ディスプレイ装置５の表示状態が保持される。記憶装置４４は、半導体メモリ、ＳＳＤ、ＨＤＤ等の記録媒体で構成される。
【００４０】
以上の動作により、各映像信号１１１ａ〜１１１ｄに対応する複数のウィンドウがディスプレイ装置５の画面に表示される（図４参照）。
【００４１】
ここで、本実施の形態の映像信号伝送システム１００が解決する課題について説明する。なお、以下の説明では、図５に示すように、ディスプレイ装置５の画面を６４（８×８）ブロックに分割し、画面占有率をブロック単位で求めている。
【００４２】
図５（Ａ）、（Ｂ）はそれぞれ、図４（Ａ）、（Ｂ）に示すウィンドウ配置の例を示した図であり、各ウィンドウの画面占有率を示した図である。図５（Ａ）、（Ｂ）において、ウィンドウＡ、Ｂ、Ｃ、Ｄは、それぞれ、映像信号１１１ａ、１１１ｂ、１１１ｃ、１１１ｄによる映像に対応する。図６（Ａ）は、図５（Ａ）の場合における、入力した各映像信号１１２ａ〜１１２ｄのデータ量を模式的に示した図である。図６（Ｂ）は、図５（Ａ）の場合における、第１ないし第４通信経路１２５ａ〜１２５ｄにおいて送信される各映像データの使用率を模式的に示した図である。ここで、データの使用率とは、画面全体のデータ量に対する、１つの通信経路にて伝送されるデータ量（すなわち、１つの圧縮回路で処理されるデータ量）の割合を示す。
【００４３】
図５（Ａ）の例では、各映像信号１１２ａ〜１１２ｄのそれぞれが示す映像データの量は同じであり（図６（Ａ）参照）、各ウィンドウＡ〜Ｄは均等な画面占有率を有する。画面全体は６４ブロック分の面積を有し、各ウィンドウＡ〜Ｄは１６ブロック分の面積を有する。ウィンドウＡ〜Ｄの画面占有率を以下のようになる。
ウィンドウＡの画面占有率＝２５％（＝１６／６４）・・・(１ａ)
ウィンドウＢの画面占有率＝２５％（＝１６／６４）・・・(１ｂ)
ウィンドウＣの画面占有率＝２５％（＝１６／６４）・・・(１ｃ)
ウィンドウＤの画面占有率＝２５％（＝１６／６４）・・・(１ｄ)
【００４４】
４つのウィンドウの画面占有率は全て２５％であり、４つの映像データのデータ量に偏りがない。偏りがない場合、図６（Ｂ）に示すように、各ウィンドウの圧縮率（ε１）は、同じ圧縮率に設定することが可能である。以下、偏りがない場合に設定される圧縮率を「基本圧縮率ε１」という。各映像に対して同じ圧縮率で圧縮するため、同一画面に複数のウィンドウの映像が重なって表示される場合であっても、映像が重なる境界における画質の差は発生しない。
【００４５】
一方、図５（Ｂ）は、ウィンドウ間の画面占有率に偏りがある場合の画面イメージの例を示している。ウィンドウＡは３６ブロック分の面積を有し、ウィンドウＢ、Ｃは９ブロック分の面積を有し、ウィンドウＤは４ブロック分の面積を有する。ウィンドウＡ〜Ｄの画面占有率を次のようになる。
ウィンドウＡの画面占有率＝５６％（＝３６／６４）・・・（２ａ）
ウィンドウＢの画面占有率＝１４％（＝９／６４）  ・・・（２ｂ）
ウィンドウＣの画面占有率＝１４％（＝９／６４）  ・・・（２ｃ）
ウィンドウＤの画面占有率＝  ６％（＝４／６４）  ・・・（２ｄ）
【００４６】
以上のように各ウィンドウＡ〜Ｄの映像データのデータ量に偏りが発生している。映像データ間のデータ量に偏りがない図５（Ａ）の例では、画面全体の画面占有率は１００％であったが、映像データ間のデータ量に偏りがある図５（Ｂ）の例では、画面占有率は８１％（５２／６４ブロック）である。
【００４７】
図５（Ｂ）に示すように映像データのデータ量に偏りが発生している場合、データ圧縮方法として、以下の２つの方法が考えられる。一つは、全ウィンドウの圧縮率を同一に設定する方法であり、他の一つは、圧縮率をウィンドウ毎に設定する方法である。図７、８を参照して、これらのデータ圧縮方法に内在する課題を説明する。
【００４８】
図７を参照して、全ウィンドウの圧縮率を同一に設定する例について説明する。図７（Ａ）は、入力した各映像信号１１２ａ〜１１２ｄのデータ量を模式的に示した図である。図７（Ｂ）は、想定する画面イメージを示しており、これは図５（Ｂ）に示す画面イメージと同じである。図７（Ｃ）は、第１ないし第４通信経路１２５ａ〜１２５ｄにおいて送信される各映像データの使用率を模式的に示した図である。
【００４９】
図７（Ａ）から、ウィンドウＡが最も高い画面占有率を有し、ウィンドウＤが最も低い画面占有率を有する。表示画面全体は６４ブロックの大きさを有する。このため、全映像データを４つの通信経路１１３ａ〜１１３ｄで均等に通信する場合、１経路当たりに送信されるデータ量は１６（＝６４／４）ブロックとなる。よって、図７（Ａ）に示す画面に対して、１つの通信経路において送信されるデータの使用率を、全体の２５％以下にするための圧縮率αは次式で算出される。
α＝ε１×（最高の画面占有率を有するウィンドウ（Ａ）が占有するブロックの数）
／（均等に通信する場合の１通信経路当たりのブロック数）
＝ε１×（３６／１６）      ・・・（３ａ）
【００５０】
映像信号を式（３ａ）で求めた圧縮率αで圧縮したときの、１つの通信経路における各ウィンドウＡ〜Ｄについての通信データの使用率を次式で計算する。
各ウィンドウについての通信データの使用率
＝（各ウィンドウのブロック数／α）／６４  ・・・（３ｂ）
【００５１】
式（３ｂ）より、ウィンドウＡ〜Ｄに対する使用率は具体的に下記のようになる。
ウィンドウＡについての通信データの使用率
＝｛（ウィンドウＡのブロック数：３６）／（３６／１６）｝／６４
＝２５．０％      ・・・（４ａ）
ウィンドウＢについての通信データの使用率は
＝｛（ウィンドウＢのブロック数：９）／（３６／１６）｝／６４
＝６．３％      ・・・（４ｂ）
ウィンドウＣについての通信データの使用率は
＝｛（ウィンドウＣのブロック数：９）／（３６／１６）｝／６４
＝６．３％      ・・・（４ｃ）
ウィンドウＤについての通信データの使用率は
＝｛（ウィンドウＤのブロック数：４）／（３６／１６）｝／６４
＝２．８％      ・・・（４ｄ）
【００５２】
一般的に映像信号の圧縮処理技術は、圧縮回路及び伸長回路を通して圧縮・伸長した映像信号と圧縮・伸長しない元の映像信号は完全に一致しない特性がある。そのため映像信号を高い圧縮率や高い伸長率で圧縮・伸長を繰り返すと画質が劣化する傾向にある。
【００５３】
つまり全映像信号の中で最も画面占有率が高いウィンドウＡの圧縮率αで全映像を一律に圧縮・伸長すると、画面占有率の低いウィンドウＢ、ウィンドウＣ、ウィンドウＤに対しても高い圧縮率αで圧縮・伸長される。すなわち、ウィンドウＢ〜Ｄに対しては、対応する通信経路における通信に本来必要な圧縮率よりも高い圧縮率αで圧縮・伸長される。このため、ウィンドウＢ〜Ｄに対して画質をより劣化させるという課題がある。
【００５４】
次に、図８を参照して、圧縮率を各ウィンドウ別に設定した例について説明する。式（２ａ）〜（２ｄ）に示す各ウィンドウの画面占有率に応じて、各ウィンドウの映像に対する通信データの使用率が２５％以下になるような各ウィンドウの圧縮率α、β、γ、δは次式のようになる。
α＝ε1×（ウィンドウＡのブロック数）／（１経路当たりのブロック数）
＝ε1×（３６／１６）      ・・・（５ａ）
β＝ε1×（ウィンドウＢのブロック数）／（１経路当たりのブロック数）
＝ε1×（９／１６）      ・・・（５ｂ）
γ＝ε1×（ウィンドウＣのブロック数）／（１経路当たりのブロック数）
＝ε1×（９／１６）      ・・・（５ｃ）
δ＝ε1×（ウィンドウＤのブロック数）／（１経路当たりのブロック数）
＝ε1×（４／１６）      ・・・（５ｄ）
【００５５】
圧縮率α、β、γ、δで各ウィンドウのデータを圧縮した場合、各ウィンドウのデータは同じデータ量に圧縮される。よって、圧縮率α、β、γ、δで各ウィンドウのデータを圧縮したときの、各通信経路を通過する通信データの使用率は次式のようになり、使用率をほぼ同一にすることができる。
ウィンドウＡの通信データの使用率
＝２５％（＝１６／６４）      ・・・（６ａ）
ウィンドウＢの通信データの使用率
＝２５％（＝１６／６４）      ・・・（６ｂ）
ウィンドウＣの通信データの使用率
＝２５％（＝１６／６４）      ・・・（６ｃ）
ウィンドウＤの通信データの使用率
＝２５％（＝１６／６４）      ・・・（６ｄ）
【００５６】
しかし、各ウィンドウの圧縮率α、β、γ、δは次式の関係を有する。
α＞β＝γ＞δ＞１      ・・・（７）
【００５７】
このように圧縮率に差異があり、例えば、ウィンドウＡとウィンドウＢの圧縮率の比α／βは４倍である。ウィンドウＡとウィンドウＣの圧縮率の比α／γは４倍である。ウィンドウＡとウィンドウＤの圧縮率の比α／δは９倍である。ウィンドウＢとウィンドウＣの圧縮率の比β／γは１倍である。ウィンドウＢとウィンドウＤの圧縮率の比β／δは２．３倍である。ウィンドウＣとウィンドウＤの圧縮率の比γ／δは２．３倍である。
【００５８】
このため、高い圧縮率（例えば、α）で圧縮・伸長した映像信号（例えば、映像信号１１２ａ）と、低い圧縮率（例えば、δ）で圧縮・伸長した映像信号（例えば、映像信号１１２ｄ）とを、同一画面に重ねて表示したとき映像が重なる境界で画質差が発生する傾向にある。
【００５９】
つまり、式（７）のとおり各ウィンドウの画面占有率に応じてα、β、γ、δという異なる圧縮率で各映像を圧縮して送信すると、ウィンドウＡと他のウィンドウＢ、Ｃ、Ｄ間で圧縮率が大きく異なるため、複数のウィンドウが重なる境界で大きな画質差が発生する課題がある。
【００６０】
本実施の形態の映像信号処理装置２は、経路／圧縮率設定回路２２の動作により上記の課題を解決する。
【００６１】
［２−２．経路／圧縮率設定回路の動作］
（１）経路／圧縮率設定回路の動作例１
以下、図９を参照して、映像信号処理装置２における経路／圧縮率設定回路２２の動作について説明する。
【００６２】
映像信号処理装置２の経路／圧縮率設定回路２２は、通信経路１２５ａ〜１２５ｄにおけるデータ使用率の偏りを低減するため、各通信経路１２５ａ〜１２５ｄ（換言すれば、送信経路１２３ａ〜１２３ｄ）に割り当てるデータ量（ブロック数）を変更する。
【００６３】
具体的には、具体的には、経路／圧縮率設定回路２２は各映像信号１１２ａ〜１１２ｄについて画面占有率を算出する。画面占有率に基づき、経路／圧縮率設定回路２２は、各通信経路で送信されるデータ量すなわち画面占有率の偏りがあるか否かを判断する。例えば、経路／圧縮率設定回路２２は、映像信号間の画面占有率の差が所定値以上となる映像信号が存在するか否かを判断する。画面占有率の差が所定値以上となる映像信号が存在する場合、データ量すなわち画面占有率の偏りがあると判断し、経路／圧縮率設定回路２２は、画面占有率が高い映像信号のデータの一部を、画面占有率が低い映像信号を伝送する通信経路１２５ａ〜１２５ｄ（送信経路１２３ａ〜１２３ｄ）に割り振る。これにより、各通信経路１２５ａ〜１２５ｄ（すなわち各送信経路１２３ａ〜１２３ｄ）で伝送されるデータ量の偏りを低減し、各通信経路において伝送される映像信号に均一な圧縮率を適用したときの全体としての通信効率を向上する。
【００６４】
例えば、図５（Ｂ）に示す例において式（２ａ）〜（２ｃ）に示すような画面占有率の偏りがある場合、画面占有率が次式に示すような値になるように、画面占有率が大きいウィンドウＡのデータの一部（データＡ２）を、画面占有率が小さいウィンドウＤに対する第４送信経路１２３ｄに振り分ける。これにより、ウィンドウＤの映像データと、ウィンドウＡの映像データのうちの一部のデータＡ２とが、第４通信経路１２５ｄ（第４送信経路１２３ｄ）に出力される。また、ウィンドウＡの映像データのうちの残りのデータＡ１が、第１通信経路１２５ａ（第１送信経路１２３ａ）に出力される。このとき、最終的に第１通信経路１２５ａに割り当てられた全データのデータ量と、最終的に第４通信経路１２５ｄに割り当てられた全データのデータ量とが等しくなるようにデータＡ１，Ａ２のサイズが決定される。このような割り当てにより画面占有率は下記のようになる。
ウィンドウＡ１の画面占有率
＝３１％（＝２０／６４）      ・・・（８ａ）
ウィンドウＢの画面占有率
＝１４％（＝９／６４）        ・・・（８ｂ）
ウィンドウＣの画面占有率
＝１４％（＝９／６４）        ・・・（８ｃ）
ウィンドウＤ及びＡ２の画面占有率
＝３１％（＝２０／６４）      ・・・（８ｄ）
【００６５】
式（８ａ）〜（８ｄ）より最も画面占有率が高いブロックＡ１の通信データの使用率が２５％以下になるように圧縮率ε２を求める。
ε２＝ε1×（ウィンドウＡ１のブロック数）／（１経路当たりのブロック数）
＝ε1×（２０／１６）＝ε1×０．８        ・・・（９）
全ウィンドウを圧縮率ε２で一律に圧縮することにより、同一画面に複数のウィンドウ（映像）が重なって表示される場合であっても、各ウィンドウの圧縮率が同じであるため、映像が重なる境界で画質差が発生しにくくなる。
【００６６】
更に経路変更後の圧縮率ε２は、前述の方法（図７参照）で求めた圧縮率αよりも小さい値に設定できるため、画質の劣化をより抑制することができる。
【００６７】
（２）経路／圧縮率設定回路の動作例２
実施の動作例１で述べた方法では、画面占有率が大きいウィンドウＡの送信データの一部Ａ２を、画面占有率が小さいウィンドウＤの通信経路１２５ｄのみに振り分けた場合、下記のとおり各通信経路１２５ａ〜１２５ｄに対する通信データの使用率が均一にならない場合がある（図９参照）。
ウィンドウＡ１の通信データの使用率
＝２５％（＝１６／６４）          ・・・（１０ａ）
ウィンドウＢの通信データの使用率
＝１１．３％（＝７．２／６４）    ・・・（１０ｂ）
ウィンドウＣの通信データの使用率
＝１１．３％（＝７．２／６４）    ・・・（１０ｃ）
ブロックＡ２を振り分けたウィンドウＤの通信データの使用率
＝２５％（＝１６／６４）          ・・・（１０ｄ）
【００６８】
すなわち、ウィンドウＢ、Ｃに対する通信経路１２５ｂ、１２５ｃにおける通信データの使用率はウィンドウＡ、Ｄに対する通信経路１２５ａ、１２５ｄにおける通信データの使用率よりも低くなっている。すなわち、通信効率が低い通信経路が存在することになる。
【００６９】
そこで、全体としての通信効率をより向上させるため、経路／圧縮率設定回路２２は、図１０に示すように、各ウィンドウに対する送信経路の画面占有率が均一になるように画面占有率が高いウィンドウを複数のブロックに分割し、画面占有率が高いウィンドウに対する通信経路（すなわち、送信経路）以外の通信経路（送信経路）に振り分けてもよい。
【００７０】
具体的には、ウィンドウＡのデータを４つのブロックＡ１〜Ａ４に分割する。ブロックＡ１は１４．５ブロック分のデータを含み、ブロックＡ２及びＡ３は５．５ブロック分のデータを含み、ブロックＡ４は１０．５ブロック分のデータを含む。経路／圧縮率設定回路２２は、ブロックＡ１のデータをウィンドウＡに対する第１通信経路１２５ａ（第１送信経路１２３ａ）に振り分ける。ブロックＡ２のデータは、ウィンドウＢに対する第２通信経路１２５ｂ（第２送信経路１２３ｂ）に振り分けられる。ブロックＡ３のデータはウィンドウＣに対する第３通信経路１２５ｃ（第３送信経路１２３ｃ）に振り分けられる。ブロックＡ４のデータはウィンドウＤに対する第４通信経路１２５ｄ（第４送信経路１２３ｄ）に振り分ける。
【００７１】
以上の振り分けにより、第１通信経路１２５ａには、ウィンドウＡのブロックＡ１（以下「ウィンドウＡ１」という）のデータが送信される。第２通信経路１２５ｂには、ウィンドウＡのブロックＡ２（以下「ウィンドウＡ２」という）のデータと、ウィンドウＢのデータとが送信される。第３通信経路１２５ｃには、ウィンドウＡのブロックＡ３（以下「ウィンドウＡ３」という）のデータと、ウィンドウＣのデータとが送信される。第４通信経路１２５ｄには、ウィンドウＡのブロックＡ４部分（以下「ウィンドウＡ４」という）のデータと、ウィンドウＢのデータとが送信される。各ウィンドウの画面占有率は以下のように均等になる。
ウィンドウＡ１の画面占有率
＝２３％（＝１４．５／６４）      ・・・（１１ａ）
ウィンドウＢ及びＡ２の画面占有率
＝２３％（＝１４．５／６４）      ・・・（１１ｂ）
ウィンドウＣ及びＡ３の画面占有率
＝２３％（＝１４．５／６４）      ・・・（１１ｃ）
ウィンドウＤ及びＡ４の画面占有率
＝２３％（＝１４．５／６４）      ・・・（１１ｄ）
【００７２】
各ウィンドウの通信データの使用率が２５％以下になるように圧縮率ε３を求めると次式となる。
ε３＝ε１×（Ａ１ウィンドウのブロック数）／（１経路当たりブロック数）
＝ε１×（１４．５／１６）    ・・・（１２）
【００７３】
式（１２）より、図１０の例に対して、経路／圧縮率設定回路２２により設定される圧縮率ε３は、図５（Ａ）及び図６に示す４つの各ウィンドウのデータ量に偏りが発生していないときの基本圧縮率ε１より小さい。このため、従来の圧縮率αよりも圧縮率を小さく設定できるため、画質の劣化が生じにくい映像信号処理装置を提供することができることに加え、通信効率も高めることができる。
【００７４】
（３）経路／圧縮率設定回路の動作例３
以下、ウィンドウの画面占有率が変更されたときの経路／圧縮率設定回路２２の動作について説明する。経路／圧縮率設定回路２２は、少なくとも１つのウィンドウが拡大／縮小された場合に、拡大／縮小後の画面占有率に基づき圧縮率を設定してもよい。
【００７５】
制御装置１０は、制御信号１０１によりウィンドウＡ〜Ｄを拡大、縮小、重ね合わせる等の表示制御を行う。すなわち、制御信号１０１により各ウィンドウＡ〜Ｄを合成した後の全ウィンドウの画面占有率も可変できる。以下、図９（Ｂ）に示す画面配置から図１１（Ｂ）に示す画面配置へ変更したときの動作について説明する。
【００７６】
図９（Ｂ）に示す例において、全ウィンドウの画面占有率は次式で算出される。
全ウィンドウの画面占有率＝８１％（＝５２／６４）    ・・・（１３）
【００７７】
図９（Ｂ）に示す状態から、制御装置１０からの制御信号１０１にしたがいウィンドウＢ、Ｃが拡大され、全ウィンドウの画面占有率が８１％から１００％に達する。この場合でも、限られた帯域内で各ウィンドウの映像データを送信する必要がある。このため、変更後の画面占有率を考慮して圧縮率を設定するのが好ましい。
【００７８】
図１１に示す場合について圧縮率ε４は式（９）と式（１３）を参照して次式で算出される。
ε４＝ε２×α×（振分け後のブロック数／振分け前のブロック数）
÷（全ウィンドウのブロック数／表示可能なブロック数）
＝ε２×α×（２０／３６）÷（５２／６４）
＝ε２×α×０．６８            ・・・（１４）
【００７９】
経路／圧縮率設定回路２２は、全ウィンドウの画面占有率が最大１００％に達しても、各ウィンドウ（映像信号）の画面占有率と、全ウィンドウの画面占有率とを判定し、画面占有率の小さい映像信号を送信する送信経路へ、画面占有率の大きい映像信号のデータの一部を振り分ける。これにより、送信経路間の通信データ量の偏りを低減することができる。
【００８０】
このように各ウィンドウを同じ圧縮率（ε４）で圧縮することで、同一画面に複数の映像が重なって表示されても、映像が重なる境界での画質差が発生しにくくなる。
【００８１】
さらに送信経路の変更後に設定した圧縮率（ε４）は、従来の圧縮率αよりも圧縮率を小さく設定できるため、画質の劣化をより抑制することが可能になる。
【００８２】
［３．効果、等］
以上のように、本実施の形態に係る映像信号処理装置２は、複数のソース装置１ａ〜１ｄから映像信号を入力し、複数の通信経路１２５ａ〜１２５ｄを介して出力する装置である。映像信号処理装置２は、通信経路毎に設けられ、各通信経路で送信される映像信号を圧縮する複数の圧縮回路２３ａ〜２３ｄと、各圧縮回路で圧縮された映像信号を、各圧縮回路に対応する通信経路を介して出力する送信回路２４と、入力した各映像信号のデータ量に基づいて、映像信号毎に、各映像信号の一部または全部を送信する通信経路を決定するとともに、全圧縮回路２３ａ〜２３ｄに共通の圧縮率を設定する経路／圧縮率設定回路２２と、を備える。経路／圧縮率設定回路２２は、データ量が比較的高い映像信号を分割し、分割した一部をデータ量が比較的低い映像信号を伝送する通信経路に振り分ける。
【００８３】
上記構成によれば、各映像信号を同一の圧縮率で圧縮することにより、同一画面に複数のウィンドウ（映像）が重なって表示される場合であっても、映像が重なる境界で画質差が発生しにくくなる。さらに、データ量が比較的大きい映像信号を分割して複数の通信経路に振り分ける。これにより、圧縮率を、分割しない場合の圧縮率（α）よりも小さい値に設定できるため、画質の劣化をより抑制することができる。すなわち、画面上の映像の劣化及びリアルタイム性能の低下が生じにくい映像信号伝送システムを提供することができる。
【００８４】
経路／圧縮率設定回路２２は、入力した映像信号の中で最もデータ量の大きい映像信号の一部Ａ１を、一の通信経路１２５ａに振り分けてもよい。同時に、経路／圧縮率設定回路２２は、最もデータ量の大きい映像信号において残りの部分（Ａ２、Ａ３、Ａ４）を、さらに一つまたは複数の部分に分割して、一つまたは複数の他の通信経路１２５ｂ、１２５ｃ、１２５ｄに振り分けてもよい。これにより、通信経路間の転送データ量の偏りを低減できる。
【００８５】
また、経路／圧縮率設定回路２２は、一の通信経路と他の通信経路のそれぞれにおいて送信されるデータ量が略等しくなるように、最もデータ量の大きい映像信号を分割してもよい。これにより、各通信経路で転送されるデータを同一圧縮率で圧縮した場合に、より効率的なデータ転送が可能となる。
【００８６】
経路／圧縮率設定回路２２は、分割して送信される映像信号（経路が変更された映像信号）がある場合、共通の圧縮率を、映像信号を分割しないときに想定される圧縮率よりも低い圧縮率に設定してもよい。これにより圧縮に伴う映像劣化を低減できる。
【００８７】
上記の実施の形態の映像信号伝送システム１００は、映像信号処理装置２と、ネットワーク３を介して映像信号処理装置２から映像信号を受信し、受信した映像信号に基づき合成映像を生成し、合成映像を示す映像信号をディスプレイ装置５に送信する受信装置４と、を備える。受信装置４は、送信回路２４から映像信号を受信する受信回路４１と、受信した各映像信号を伸長する伸長回路４２ａ〜４２ｄと、伸長された各映像信号が示す画像を合成する映像合成回路４３と、を備える。映像合成回路４３は、分割して送信された映像信号がある場合、当該映像信号を分割される前の状態に戻し、戻した後の映像信号に基づき映像合成を行う。
【００８８】
映像信号伝送システム１００において、送信回路２４は、圧縮された映像信号１１５に加えて、圧縮された映像信号を伸長するための伸長条件を示す情報１２１と、送信経路の振り分けを示す振り分け情報１０２と、映像信号の合成条件を示す情報１０２とを、受信回路４１に送信してもよい。映像合成回路４３は、分割して送信された映像信号がある場合に振り分け条件に基づいて当該映像信号を分割される前の状態に戻し、合成条件に基づき映像合成を行う。
【００８９】
映像信号伝送システム１００は、合成映像における各映像信号が示す映像の位置及び重なりを指定する制御信号を映像信号処理装置２に供給する制御装置１０をさらに備えてもよい。これにより、ユーザは、合成映像における、各映像信号が示す映像の位置及び重なりを設定することができる。
【００９０】
受信装置４は、経路／圧縮率設定回路２２が設定する経路と圧縮率を示す情報を格納する記憶装置４４を備えてもよい。一旦記憶装置４４に経路と圧縮率を示す情報を格納することで、記憶装置４４からそれらの情報を読み出すことにより、それらの情報を利用することが可能となる。
【００９１】
映像信号は、動画データを含む映像信号及び／又は静止画データを含む映像信号であってもよい。
【００９２】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。また、上記実施の形態１で説明した各構成を適宜組み合わせて、新たな実施の形態とすることも可能である。
【００９３】
上記の実施の形態では、ディスプレイ装置５に表示される画像のサイズを６４ブロックに分割したが、分割するブロックの数は６４に限定されるものではない。
【００９４】
また、ソース装置、圧縮回路、通信経路等の数を一例として４としたが、これらの数は４に限定されるものではなく、任意の数としてよい。
【００９５】
上記の実施の形態において、経路／圧縮率設定回路２２は、各通信経路で送信されるデータ量（すなわち画面占有率）の偏りがあるか否かを画面占有率の差に基づき判断した。各通信経路で送信されるデータ量の偏りがあるかの判断を他の条件に基づき行っても良い。例えば、判断条件として、映像信号間の画面占有率の比が所定値以上となる映像信号が存在するか否かを判断してもよい。または、画面占有率に替えて、映像信号が伝送するデータ量に基づき各通信経路で送信されるデータ量（すなわち画面占有率）の偏りを判断してもよい。
【００９６】
制御装置１０は、ユーザによるリアルタイム制御により制御信号１０１を生成してもよく、予め決められたプログラムに従って自動的に制御信号１０１を生成してもよい。
【００９７】
圧縮回路２３ａ〜２３ｄの個数はソース装置１ａ〜１ｄの個数に一致していなくてもよい。例えば、単一の圧縮回路により複数の入力した映像信号を圧縮してもよい。伸長回路４２ａ〜４２ｄの個数もソース装置１ａ〜１ｄの個数に一致していなくてもよい。例えば、単一の伸長回路により複数の入力した映像信号を伸長してもよい。
【００９８】
受信装置４とディスプレイ装置５とは一体化して構成されてもよい。映像信号処理装置２と制御装置１０とは一体化して構成されてもよい。
【００９９】
以上のように、本開示における技術の例示として、実施の形態を説明した。そのために、添付図面および詳細な説明を提供した。
【０１００】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１０１】
また、上述の実施の形態は、本開示における技術を例示するためのものであるから、特許請求の範囲またはその均等の範囲において種々の変更、置き換え、付加、省略などを行うことができる。
【産業上の利用可能性】
【０１０２】
本開示は、複数の映像ソースから映像信号を入力し、ディスプレイ装置に伝送する伝送システムに適用できる。
【符号の説明】
【０１０３】
１ａ〜１ｄ…ソース装置
２…映像信号処理装置（送信装置）
３…ネットワーク
４…受信装置
５…ディスプレイ装置
１０…制御装置
２１ａ〜２１ｄ…入力回路
２２…経路／圧縮率設定回路
２３ａ〜２３ｄ…圧縮回路
２４…送信回路
２５…バッファ回路
４１…受信回路
４２ａ〜４２ｄ…伸長回路
４３…映像合成回路
４４…記憶装置
１００…映像信号伝送システム
１１１ａ〜１１４ｄ…映像信号
１２３ａ〜１２３ｄ…送信経路
１２５ａ〜１２５ｄ…通信経路
【図１】
2019016981.tif 000003
【図２】
2019016981.tif 000004
【図３】
2019016981.tif 000005
【図４】
2019016981.tif 000006
【図５】
2019016981.tif 000007
【図６】
2019016981.tif 000008
【図７】
2019016981.tif 000009
【図８】
2019016981.tif 000010
【図９】
2019016981.tif 000011
【図１０】
2019016981.tif 000012
【図１１】
2019016981.tif 000013